(57)【特許請求の範囲】
【請求項１】
光源から発せられた照明光の波面を変調可能な波面変調素子と、
該波面変調素子から射出された照明光を集光しフーリエ変換を施すフーリエ変換光学系と、
該フーリエ変換光学系から射出された照明光に逆フーリエ変換を施して平行光束にする逆フーリエ変換光学系と、
該逆フーリエ変換光学系から射出された照明光を被写体に集光させる対物光学系と、
前記フーリエ変換光学系および前記対物光学系において、前記対物光学系による前記照明光の集光位置を一定位置に維持しつつ焦点距離を変更可能な可変機構とを備え、
前記可変機構が、前記対物光学系の瞳位置と、前記波面変調素子との光学的な共役関係を維持しつつ、前記フーリエ変換光学系の焦点距離を変更可能であるとともに、前記対物光学系による集光位置を調節する集光補正機構を備え、
前記集光補正機構が、前記対物光学系を構成するいずれかのレンズを光軸方向に移動させる照明光学装置。
【請求項２】
光源から発せられた照明光の波面を変調可能な波面変調素子と、
該波面変調素子から射出された照明光を集光しフーリエ変換を施すフーリエ変換光学系と、
該フーリエ変換光学系から射出された照明光に逆フーリエ変換を施して平行光束にする逆フーリエ変換光学系と、
該逆フーリエ変換光学系から射出された照明光を被写体に集光させる対物光学系と、
前記逆フーリエ変換光学系および前記対物光学系において、前記対物光学系による前記照明光の集光位置を一定位置に維持しつつ焦点距離を変更可能な可変機構とを備え、
前記可変機構が、前記対物光学系の瞳位置と、前記波面変調素子との光学的な共役関係を維持しつつ、前記逆フーリエ変換光学系の焦点距離を変更可能であるとともに、前記対物光学系による集光位置を調節する集光補正機構を備え、
前記集光補正機構が、前記対物光学系を構成するいずれかのレンズを光軸方向に移動させる照明光学装置。
【請求項３】
光源から発せられた照明光の波面を変調可能な波面変調素子と、
該波面変調素子から射出された照明光を集光しフーリエ変換を施すフーリエ変換光学系と、
該フーリエ変換光学系から射出された照明光に逆フーリエ変換を施して平行光束にする逆フーリエ変換光学系と、
該逆フーリエ変換光学系から射出された照明光を被写体に集光させる対物光学系と、
前記フーリエ変換光学系および前記対物光学系において、該対物光学系による前記照明光の集光位置を一定位置に維持しつつ焦点距離を変更可能な可変機構とを備え、
前記可変機構が、前記対物光学系の瞳位置と、前記波面変調素子との光学的な共役関係を維持しつつ、前記フーリエ変換光学系の焦点距離を変更可能であるとともに、前記対物光学系による集光位置を調節する集光補正機構を備え、
前記集光補正機構が、前記対物光学系を構成するいずれかのレンズを光軸方向に移動させる照明光学装置。
【請求項４】
光源から発せられた照明光の波面を変調可能な波面変調素子と、
該波面変調素子から射出された照明光を集光しフーリエ変換を施すフーリエ変換光学系と、
該フーリエ変換光学系から射出された照明光に逆フーリエ変換を施して平行光束にする逆フーリエ変換光学系と、
該逆フーリエ変換光学系から射出された照明光を被写体に集光させる対物光学系と、
前記フーリエ変換光学系において、前記対物光学系による前記照明光の集光位置を一定位置に維持しつつ焦点距離を変更可能な可変機構とを備え、
前記可変機構が、前記対物光学系の瞳位置と、前記波面変調素子との光学的な共役関係を維持しつつ、前記フーリエ変換光学系の焦点距離を変更可能であるとともに、前記対物光学系による集光位置を調節する集光補正機構を備え、
前記波面変調素子が、前記集光補正機構として、前記対物光学系による集光位置を調節する照明光学装置。
【請求項５】
光源から発せられた照明光の波面を変調可能な波面変調素子と、
該波面変調素子から射出された照明光を集光しフーリエ変換を施すフーリエ変換光学系と、
該フーリエ変換光学系から射出された照明光に逆フーリエ変換を施して平行光束にする逆フーリエ変換光学系と、
該逆フーリエ変換光学系から射出された照明光を被写体に集光させる対物光学系と、
前記逆フーリエ変換光学系において、前記対物光学系による前記照明光の集光位置を一定位置に維持しつつ焦点距離を変更可能な可変機構とを備え、
前記可変機構が、前記対物光学系の瞳位置と、前記波面変調素子との光学的な共役関係を維持しつつ、前記逆フーリエ変換光学系の焦点距離を変更可能であるとともに、前記対物光学系による集光位置を調節する集光補正機構を備え、
前記波面変調素子が、前記集光補正機構として、前記対物光学系による集光位置を調節する照明光学装置。
【請求項６】
光源から発せられた照明光の波面を変調可能な波面変調素子と、
該波面変調素子から射出された照明光を集光しフーリエ変換を施すフーリエ変換光学系と、
該フーリエ変換光学系から射出された照明光に逆フーリエ変換を施して平行光束にする逆フーリエ変換光学系と、
該逆フーリエ変換光学系から射出された照明光を被写体に集光させる対物光学系と、
前記フーリエ変換光学系において、該対物光学系による前記照明光の集光位置を一定位置に維持しつつ焦点距離を変更可能な可変機構とを備え、
前記可変機構が、前記対物光学系の瞳位置と、前記波面変調素子との光学的な共役関係を維持しつつ、前記フーリエ変換光学系の焦点距離を変更可能であるとともに、前記対物光学系による集光位置を調節する集光補正機構を備え、
前記波面変調素子が、前記集光補正機構として、前記対物光学系による集光位置を調節する照明光学装置。
【請求項７】
前記波面変調素子に対して光学的に共役な位置に配置され、前記光源から射出された照明光の偏向方向を変化させる光束偏向手段を備える請求項１から請求項６のいずれかに記載の照明光学装置。
【請求項８】
前記フーリエ変換光学系および前記逆フーリエ変換光学系のうち前記可変機構を備える少なくとも一方が、焦点距離の異なる複数組のレンズ群を備え、
前記可変機構が、前記レンズ群を切り替える請求項１から請求項７のいずれかに記載の照明光学装置。
【請求項９】
前記フーリエ変換光学系および前記逆フーリエ変換光学系のうち前記可変機構を備える少なくとも一方が、焦点距離を変更可能な液体レンズを含み、
前記可変機構が、焦点距離を変化させるように前記液体レンズを駆動する請求項１から請求項７のいずれかに記載の照明光学装置。
【請求項１０】
前記フーリエ変換光学系および前記逆フーリエ変換光学系のうち前記可変機構を備える少なくとも一方が、ズーム光学系により構成されている請求項１から請求項７のいずれかに記載の照明光学装置。
【請求項１１】
前記ズーム光学系が、相互の間隔を調節可能な正のレンズ群および負のレンズ群を備える請求項１０に記載の照明光学装置。
【発明の詳細な説明】
【技術分野】
【０００１】
本発明は照明光学装置に関するものである。
【背景技術】
【０００２】
従来、顕微鏡による蛍光観察において、標本上の複数箇所に同時に光を照射し、その標本の反応を観察する照明光学装置が知られている。（例えば、特許文献１参照。）。
この照明光学装置は、複数箇所に同時に光を照射するために、ホログラムを利用している。すなわち、予め設定された標本上の複数の注目位置にスポットが形成されるような照明パターンを元にホログラムの位相パターンを作成し、その位相パターンを付与した波面変調素子によって光の波面を変調することにより、標本上にホログラム像を投影するようになっている。
【先行技術文献】
【特許文献】
【０００３】
【特許文献１】特開２００６−７２２７９号公報
【発明の概要】
【発明が解決しようとする課題】
【０００４】
しかしながら、特許文献１の照明光学装置では、波面変調を行う波面変調素子を構成しているデバイスのピクセルピッチおよび光学系の制限によって、標本上に生成されるホログラム像により光を一度に照射できる範囲とスポットの大きさが制限されてしまうという不都合がある。
本発明は上述した事情に鑑みてなされたものであって、標本上に照射する光の範囲およびスポットサイズを変更することができる照明光学装置を提供することを目的としている。
【課題を解決するための手段】
【０００５】
上記目的を達成するために、本発明は以下の手段を提供する。
本発明は、光源から発せられた照明光の波面を変調可能な波面変調素子と、該波面変調素子から射出された照明光を集光しフーリエ変換を施すフーリエ変換光学系と、該フーリエ変換光学系から射出された照明光に逆フーリエ変換を施して平行光束にする逆フーリエ変換光学系と、該逆フーリエ変換光学系から射出された照明光を被写体に集光させる対物光学系と、前記フーリエ変換光学系および前記対物光学系において、前記対物光学系による前記照明光の集光位置を一定位置に維持しつつ焦点距離を変更可能な可変機構とを備え、前記可変機構が、前記対物光学系の瞳位置と、前記波面変調素子との光学的な共役関係を維持しつつ、前記フーリエ変換光学系の焦点距離を変更可能であるとともに、前記対物光学系による集光位置を調節する集光補正機構を備え、前記集光補正機構が、前記対物光学系を構成するいずれかのレンズを光軸方向に移動させる照明光学装置を提供する。
また、本発明は、光源から発せられた照明光の波面を変調可能な波面変調素子と、該波面変調素子から射出された照明光を集光しフーリエ変換を施すフーリエ変換光学系と、該フーリエ変換光学系から射出された照明光に逆フーリエ変換を施して平行光束にする逆フーリエ変換光学系と、該逆フーリエ変換光学系から射出された照明光を被写体に集光させる対物光学系と、前記逆フーリエ変換光学系および前記対物光学系において、前記対物光学系による前記照明光の集光位置を一定位置に維持しつつ焦点距離を変更可能な可変機構とを備え、前記可変機構が、前記対物光学系の瞳位置と、前記波面変調素子との光学的な共役関係を維持しつつ、前記逆フーリエ変換光学系の焦点距離を変更可能であるとともに、前記対物光学系による集光位置を調節する集光補正機構を備え、前記集光補正機構が、前記対物光学系を構成するいずれかのレンズを光軸方向に移動させる照明光学装置を提供する。
また、本発明は、光源から発せられた照明光の波面を変調可能な波面変調素子と、該波面変調素子から射出された照明光を集光しフーリエ変換を施すフーリエ変換光学系と、該フーリエ変換光学系から射出された照明光に逆フーリエ変換を施して平行光束にする逆フーリエ変換光学系と、該逆フーリエ変換光学系から射出された照明光を被写体に集光させる対物光学系と、前記フーリエ変換光学系および前記対物光学系において、該対物光学系による前記照明光の集光位置を一定位置に維持しつつ焦点距離を変更可能な可変機構とを備え、前記可変機構が、前記対物光学系の瞳位置と、前記波面変調素子との光学的な共役関係を維持しつつ、前記フーリエ変換光学系の焦点距離を変更可能であるとともに、前記対物光学系による集光位置を調節する集光補正機構を備え、前記集光補正機構が、前記対物光学系を構成するいずれかのレンズを光軸方向に移動させる照明光学装置を提供する。
また、本発明は、光源から発せられた照明光の波面を変調可能な波面変調素子と、該波面変調素子から射出された照明光を集光しフーリエ変換を施すフーリエ変換光学系と、該フーリエ変換光学系から射出された照明光に逆フーリエ変換を施して平行光束にする逆フーリエ変換光学系と、該逆フーリエ変換光学系から射出された照明光を被写体に集光させる対物光学系と、前記フーリエ変換光学系において、前記対物光学系による前記照明光の集光位置を一定位置に維持しつつ焦点距離を変更可能な可変機構とを備え、前記可変機構が、前記対物光学系の瞳位置と、前記波面変調素子との光学的な共役関係を維持しつつ、前記フーリエ変換光学系の焦点距離を変更可能であるとともに、前記対物光学系による集光位置を調節する集光補正機構を備え、前記波面変調素子が、前記集光補正機構として、前記対物光学系による集光位置を調節する照明光学装置を提供する。
また、本発明は、光源から発せられた照明光の波面を変調可能な波面変調素子と、該波面変調素子から射出された照明光を集光しフーリエ変換を施すフーリエ変換光学系と、該フーリエ変換光学系から射出された照明光に逆フーリエ変換を施して平行光束にする逆フーリエ変換光学系と、該逆フーリエ変換光学系から射出された照明光を被写体に集光させる対物光学系と、前記逆フーリエ変換光学系において、前記対物光学系による前記照明光の集光位置を一定位置に維持しつつ焦点距離を変更可能な可変機構とを備え、前記可変機構が、前記対物光学系の瞳位置と、前記波面変調素子との光学的な共役関係を維持しつつ、前記逆フーリエ変換光学系の焦点距離を変更可能であるとともに、前記対物光学系による集光位置を調節する集光補正機構を備え、前記波面変調素子が、前記集光補正機構として、前記対物光学系による集光位置を調節する照明光学装置を提供する。
また、本発明は、光源から発せられた照明光の波面を変調可能な波面変調素子と、該波面変調素子から射出された照明光を集光しフーリエ変換を施すフーリエ変換光学系と、該フーリエ変換光学系から射出された照明光に逆フーリエ変換を施して平行光束にする逆フーリエ変換光学系と、該逆フーリエ変換光学系から射出された照明光を被写体に集光させる対物光学系と、前記フーリエ変換光学系において、該対物光学系による前記照明光の集光位置を一定位置に維持しつつ焦点距離を変更可能な可変機構とを備え、前記可変機構が、前記対物光学系の瞳位置と、前記波面変調素子との光学的な共役関係を維持しつつ、前記フーリエ変換光学系の焦点距離を変更可能であるとともに、前記対物光学系による集光位置を調節する集光補正機構を備え、前記波面変調素子が、前記集光補正機構として、前記対物光学系による集光位置を調節する照明光学装置を提供する。
【０００６】
本発明によれば、光源からの照明光の波面が波面変調素子によって変調されることにより、所望のパターンで被写体に照明光が照射されるような波面が付与される。その後、フーリエ変換光学系によって集光されてフーリエ変換が施され、逆フーリエ変換光学系により逆フーリエ変換されることにより略平行光に変換された後に対物光学系によって、所望のパターンで被写体に集光される。
【０００７】
この場合において、本発明によれば、可変機構を作動させてフーリエ変換光学系、逆フーリエ変換光学系または対物光学系の焦点距離を変更するので、波面変調を行う波面変調素子を構成しているデバイスのピクセルピッチが一定でも被写体に一度に照明光を照射することができる範囲およびスポットの大きさを変更することができる。そして、この場合に、対物光学系による照明光の焦点位置が変化しないので、同一位置に配される被写体において所望のパターンで照明光を照射することができる。
【０００８】
上記発明においては、前記可変機構が、前記対物光学系の瞳位置と、前記波面変調素子との光学的な共役関係を維持しつつ、前記フーリエ変換光学系または前記逆フーリエ変換光学系の焦点距離を変更可能であるとともに、前記対物光学系による集光位置を調節する集光補正機構を備えていることで、波面変調素子で与えた波面の照明光を対物光学系の瞳位置に入射させ、照明光のケラレを防止しつつ、所望のパターンで照明光を照射することができる。
【０００９】
また、上記発明においては、前記集光補正機構が、前記対物光学系を構成するいずれかのレンズを光軸方向に移動させることで、対物光学系の瞳位置と波面変調素子との光学的な共役関係を維持しつつ、フーリエ変換光学系または逆フーリエ変換光学系の焦点距離を変更した結果、発生する対物光学系の焦点位置のズレを、集光補正機構によって対物光学系を構成するいずれかのレンズを光軸方向に移動させて簡易に補正することができる。
【００１０】
また、上記発明においては、前記波面変調素子が、前記集光補正機構として、前記対物光学系による集光位置を調節することで、対物光学系の瞳位置と波面変調素子との光学的な共役関係を維持しつつ、フーリエ変換光学系または逆フーリエ変換光学系の焦点距離を変更した結果、発生する対物光学系の焦点位置のズレ分だけフーリエ変換光学系の焦点位置を戻す方向に移動させるような波面を波面変調素子によって照明光の光束に追加して付与することにより、光学的に共役な位置関係を崩すことなく、最もコンパクトに装置を構成することができる。
【００１１】
また、上記発明においては、前記波面変調素子に対して光学的に共役な位置に配置され、前記光源から射出された照明光の偏向方向を変化させる光束偏向手段を備えていてもよい。
このようにすることで、光源からの照明光を光束偏向手段により任意の方向に偏向して、所望のパターンで被写体の所望の位置に照射することができる。
【００１２】
また、上記発明においては、前記フーリエ変換光学系および前記逆フーリエ変換光学系のうち前記可変機構を備える少なくとも一方が、焦点距離の異なる複数組のレンズ群を備え、前記可変機構が、前記レンズ群を切り替えてもよい。
このようにすることで、可変機構によって、焦点距離の異なる複数組のレンズ群を切り替えることにより、波面変調を行う波面変調素子を構成しているデバイスのピクセルピッチが一定でも被写体に一度に照明光を照射することができる範囲およびスポットの大きさを容易に変更することができる。
【００１３】
また、上記発明においては、前記フーリエ変換光学系および前記逆フーリエ変換光学系のうち前記可変機構を備える少なくとも一方が、焦点距離を変更可能な液体レンズを含み、前記可変機構が、焦点距離を変化させるように前記液体レンズを駆動してもよい。
このようにすることで、可変機構が液体レンズを駆動して、対物光学系による前記照明光の集光位置を一定位置に維持しつつ焦点距離を変更し、被写体に一度に照明光を照射することができる範囲およびスポットの大きさを容易に変更することができる。
【００１４】
また、上記発明においては、前記フーリエ変換光学系および前記逆フーリエ変換光学系のうち前記可変機構を備える少なくとも一方が、ズーム光学系により構成されていてもよい。
このようにすることで、フーリエ変換光学系または逆フーリエ変換光学系を構成するズーム光学系により、対物光学系による前記照明光の集光位置を一定位置に維持しつつ焦点距離を変更し、被写体に一度に照明光を照射することができる範囲およびスポットの大きさを容易に変更することができる。
【００１５】
また、上記発明においては、前記ズーム光学系が、相互の間隔を調節可能な正のレンズ群および負のレンズ群を備えていてもよい。
このようにすることで、ズーム光学系を構成する正のレンズ群と負のレンズ群の間隔を広げたときに、前側焦点位置を後側焦点位置をレンズ端面に近接させることができ、装置をコンパクトに構成することができる。
【００１６】
また、本発明の参考例としての発明は、上記構成において、前記焦点位置に配置された視野絞りを有していてもよい。
このようにすることで、視野絞りにより、周辺光を制限し、迷光の発生を防止することができる。
【００１７】
また、本発明の参考例においては、光源から発せられた照明光の偏向方向を変化させる光束偏向手段と、該光束偏向手段に対して光学的に共役な位置に配置され、照明光の波面を変調可能な波面変調素子と、該波面変調素子から射出された照明光を集光しフーリエ変換を施すフーリエ変換光学系と、該フーリエ変換光学系から射出された照明光に逆フーリエ変換を施して略平行光束にする逆フーリエ変換光学系と、該逆フーリエ変換光学系から射出された照明光を被写体に集光させる対物光学系とを備え、前記フーリエ変換光学系が、その前記逆フーリエ変換光学系側の焦点位置を略一定位置に維持しつつ焦点距離を変更可能な可変機構を備える照明光学装置を提供する。
【００１８】
本参考例によれば、光源からの照明光が光束偏向手段により任意の方向に偏向され、波面変調素子によって波面が変調されることにより、所望のパターンで被写体に照明光が照射されるような波面が付与される。その後、フーリエ変換光学系によって集光されてフーリエ変換が施され、逆フーリエ変換光学系により逆フーリエ変換されることにより略平行光に変換された後に対物光学系によって、所望のパターンで被写体に集光される。
【００１９】
この場合において、本参考例によれば、可変機構を作動させてフーリエ変換光学系の焦点距離を変更するので、波面変調を行う波面変調素子を構成しているデバイスのピクセルピッチが一定でも被写体に一度に照明光を照射することができる範囲およびスポットの大きさを変更することができる。そして、この場合に、フーリエ変換光学系の逆フーリエ変換光学系側の焦点位置が変化しないので、波面変調素子と対物光学系の瞳位置との光学的に共役な位置関係を維持して、波面変調素子で与えた波面の照明光を対物光学系の瞳位置に入射させ、被写体において所望のパターンで照明光を照射することができる。
【００２０】
また、本発明の参考例は、光源から発せられた照明光の偏向方向を変化させる光束偏向手段と、該光束偏向手段に対して光学的に共役な位置に配置され、照明光の波面を変調可能な波面変調素子と、該波面変調素子から射出された照明光を集光しフーリエ変換を施すフーリエ変換光学系と、該フーリエ変換光学系から射出された照明光に逆フーリエ変換を施して略平行光束にする逆フーリエ変換光学系と、該逆フーリエ変換光学系から射出された照明光を被写体に集光させる対物光学系とを備え、前記逆フーリエ変換光学系が、その前記フーリエ変換光学系側の焦点位置を略一定位置に維持しつつ焦点距離を変更可能な可変機構を備える照明光学装置を提供する。
【００２１】
本参考例によれば、光源からの照明光が光束偏向手段により任意の方向に偏向され、波面変調素子によって波面が変調されることにより、所望のパターンで被写体に照明光が照射されるような波面が付与される。その後、フーリエ変換光学系によって集光されてフーリエ変換が施され、逆フーリエ変換光学系により逆フーリエ変換されることにより略平行光に変換された後に対物光学系によって、所望のパターンで被写体に集光される。
【００２２】
この場合において、本参考例によれば、可変機構を作動させて逆フーリエ変換光学系の焦点距離を変更するので、波面変調を行う波面変調素子を構成しているデバイスのピクセルピッチが一定でも被写体に一度に照明光を照射することができる範囲およびスポットの大きさを変更することができる。そして、この場合に、逆フーリエ変換光学系のフーリエ変換光学系側の焦点位置が変化しないので、波面変調素子と対物光学系の瞳位置との光学的に共役な位置関係を維持して、波面変調素子で与えた波面の照明光を対物光学系の瞳位置に入射させ、被写体において所望のパターンで照明光を照射することができる。
【００２３】
また、本参考例は、光源から発せられた照明光の偏向方向を変化させる光束偏向手段と、該光束偏向手段に対して光学的に共役な位置に配置され、照明光の波面を変調可能な波面変調素子と、該波面変調素子から射出された照明光を集光しフーリエ変換を施すフーリエ変換光学系と、該フーリエ変換光学系から射出された照明光に逆フーリエ変換を施して略平行光束にする逆フーリエ変換光学系と、該逆フーリエ変換光学系から射出された照明光を被写体に集光させる対物光学系と、前記逆フーリエ変換光学系の焦点距離を変化させるとともに、前記波面変調素子により前記フーリエ変換光学系によるレーザ光の焦点位置が前記逆フーリエ変換光学系の前記フーリエ変換光学系側の焦点位置に略一致するような波面を付与する可変機構とを備える照明光学装置を提供する。
【００２４】
本参考例によれば、可変機構を作動させて逆フーリエ変換光学系の焦点距離を変更し、波面変調素子によりフーリエ変換光学系の焦点位置を逆フーリエ変換光学系のフーリエ変換光学系側の焦点位置に略一致させるような位相パターンを付与するので、フーリエ変換光学系の焦点位置における像の大きさを変化させて、被写体に一度に照明光を照射することができる範囲の大きさを変更することができる。
【００２５】
また、逆フーリエ変換光学系から射出されるレーザ光の光束径を変化させて、標本に照射されるスポットの大きさを変更することができる。
そして、この場合に、波面変調素子と対物光学系の瞳位置との光学的に共役な位置関係を維持して、波面変調素子で与えた波面の照明光を対物光学系の瞳位置に入射させ、被写体において所望のパターンで照明光を照射することができる。
【００２６】
また、上記参考例においては、前記光束偏向手段と前記波面変調素子との間に配置されたリレー光学系を備え、前記フーリエ変換光学系が、前記リレー光学系の一部を含んでいてもよい。
このようにすることで、リレー光学系によって、光束径を増大させずに像をリレーすることができ、また、フーリエ変換光学系とリレー光学系とを部分的に共有することにより、構成を簡素化することができる。
【発明の効果】
【００２７】
本発明によれば、標本上に照射する光の範囲およびスポットサイズを変更することができるという効果を奏する。
【図面の簡単な説明】
【００２８】
【図１】本発明の第１の実施形態に係る照明光学装置を示す全体構成図である。
【図２】図１の照明光学装置の動作を説明する拡大図であり、（ａ）フーリエ変換光学系の焦点距離を長くした場合、（ｂ）フーリエ変換光学系の焦点距離を短くした場合をそれぞれ示す図である。
【図３】図１の照明光学装置の変形例であって、反射型の波面変調素子を使用した例を示す全体構成図である。
【図４】図１の照明光学装置の変形例であって、複数の切替レンズを切り替えるターレットを示す（ａ）縦断面図および（ｂ）正面図である。
【図５】図１の照明光学装置の変形例であって、リレー光学系のレンズとフーリエ変換光学系のレンズを部分的に共有させた例を示す全体構成図である。
【図６】図５の逆フーリエ変換光学系として採用した液体レンズの動作を説明する図であり、（ａ）焦点距離が長い場合、（ｂ）焦点位置を変化させずに焦点距離を短くした場合、（ｃ）焦点位置を変化させて焦点距離を短くした場合をそれぞれ示す図である。
【図７】本発明の第２の実施形態に係る照明光学装置を示す全体構成図である。
【図８】図７の照明光学装置におけるフーリエ変換光学系の動作を説明する（ａ）正のレンズ群と負のレンズ群との間隔が広がった状態、（ｂ）間隔が狭まった状態をそれぞれ示す図である。
【図９】図７の照明光学装置の第１の変形例を示す全体構成図である。
【図１０】図７の照明光学装置の第２の変形例を示す全体構成図である。
【図１１】図７の照明光学装置の第３の変形例におけるフーリエ変換光学系および逆フーリエ変換光学系を示す部分的な構成図である。
【図１２】図７の照明光学装置の第４の変形例におけるフーリエ変換光学系および逆フーリエ変換光学系を示す部分的な構成図である。
【図１３】図７の照明光学装置の第５の変形例におけるフーリエ変換光学系および逆フーリエ変換光学系を示す部分的な構成図である。
【図１４】図７の照明光学装置の第６の変形例におけるフーリエ変換光学系および逆フーリエ変換光学系を示す部分的な構成図である。
【図１５】図７の照明光学装置の第７の変形例におけるフーリエ変換光学系の動作を説明する（ａ）正のレンズ群と負のレンズ群との間隔が広がった状態、（ｂ）間隔が狭まった状態をそれぞれ示す図である。
【図１６】図７の照明光学装置の第８の変形例におけるフーリエ変換光学系の動作を説明する（ａ）正のレンズ群と負のレンズ群との間隔が広がった状態、（ｂ）間隔が狭まった状態をそれぞれ示す図である。
【図１７】図７の照明光学装置の第９の変形例におけるフーリエ変換光学系の動作を説明する（ａ）正のレンズ群と負のレンズ群との間隔が広がった状態、（ｂ）間隔が狭まった状態をそれぞれ示す図である。
【発明を実施するための形態】
【００２９】
本発明の第１の実施形態に係る照明光学装置１について、図面を参照して以下に説明する。
本実施形態に係る照明光学装置１は、図１に示されるように、光束偏向手段２と、リレー光学系３と、波面変調素子４と、フーリエ変換光学系５と、視野絞り６と、逆フーリエ変換光学系７と、対物光学系８とを備えている。また、図１には、ダイクロイックミラー９および撮像素子１０が設けられ、標本（被写体）Ａから戻る蛍光を撮影することができるようになっている。
【００３０】
光束偏向手段２は、対向して配置された２枚のガルバノミラー（図示略）を備えている。２枚のガルバノミラーは相互にねじれの位置関係に配置された軸線回りに揺動可能に設けられ、レーザ光源１１から入射されて来た略平行光束からなるレーザ光の光束の偏光方向を２次元的に変化させることができるようになっている。
【００３１】
リレー光学系３は、２以上の集光レンズ３ａ，３ｂからなり、平行光束からなるレーザ光を入射させて、その光束径を増大させて平行光束として射出させるようになっている。これにより、光束偏向手段２と波面変調素子４とを光学的に共役な位置関係としている。
【００３２】
波面変調素子４は、例えば、液晶素子からなり、レーザ光の光束を透過させる際に、その波面に所望の変調を施すことができるようになっている。レーザ光の波面に付与する変調は、例えば、予め標本Ａの画像を取得し、取得された画像においてレーザ光を照射すべき複数の注目部位を特定することにより照射パターンを生成し、その照射パターンを基に作成したホログラムの位相パターンを液晶素子で発生させることにより行われる。これにより、波面変調素子４を透過するレーザ光の波面は、液晶素子に発生させたホログラムの位相パターンに従って変調させられるようになっている。
【００３３】
フーリエ変換光学系５は、波面変調素子４により波面が変調されたレーザ光を集光してその焦点面において、レーザ光の光束にフーリエ変換を施すようになっている。
本実施形態において、フーリエ変換光学系５は、複数のレンズ５ａ，５ｂとを組み合わせて構成され、その少なくとも１つを光軸方向に移動可能にして、焦点距離を連続的に変化させる可変機構５ｃが構成されている。
【００３４】
さらに、フーリエ変換光学系５は、可変機構５ｃの作動によるレンズ５ａ，５ｂの移動によって焦点距離を変化させた際に、図２に示されるように、その逆フーリエ変換光学系７側の焦点位置（前側焦点位置）を変化させることなく焦点距離を変化させるように構成されている。すなわち、フーリエ変換光学系５は、この可変機構５ｃによりズーム光学系として構成されている。
【００３５】
視野絞り６は、レーザ光の光束の周辺光を遮断して、迷光の発生を防止するようになっている。
ダイクロイックミラー９は、レーザ光を透過して蛍光を反射する波長特性を有している。
【００３６】
逆フーリエ変換光学系７は、フーリエ変換光学系５により集光されたレーザ光に逆フーリエ変換を施して略平行光束にするようになっている。
対物光学系８は、略平行光束とされたレーザ光を標本Ａに照射する一方、標本Ａにおいて発生した蛍光を集光するようになっている。
【００３７】
フーリエ変換光学系５の前側焦点位置と、逆フーリエ変換光学系７のフーリエ変換光学系５側の焦点位置（後側焦点位置）とは常に一致しているので、これらの光学系５，７によってリレー光学系が構成され、対物光学系８の瞳位置は、波面変調素子４と光学的に共役な位置関係に配されている。
撮像素子１０は、対物光学系８により集光され、ダイクロイックミラー９において反射された蛍光を撮影するようになっている。
【００３８】
このように構成された本実施形態に係る照明光学装置１の作用について、以下に説明する。
本実施形態に係る照明光学装置１を用いて、レーザ光を標本Ａに照射するには、予め設定された照射パターンに基づいて、光束偏向手段２による光束の偏向方向を調節し、波面変調素子４に所望の位相パターンを発生させ、かつ、フーリエ変換光学系５の可変機構５ｃの作動によりフーリエ変換光学系５の焦点距離を変化させる。
【００３９】
光束偏向手段２により光束の偏向方向を調節することによって、標本Ａ上におけるレーザ光の照射位置を調節することができる。
波面変調素子４に位相パターンを発生させることにより、対物光学系８の焦点面に、設定された照射パターンでレーザ光を照射することができる。
【００４０】
また、本実施形態においては、図２（ａ）および図２（ｂ）に示されるように、フーリエ変換光学系５の可変機構５ｃを作動させることにより、フーリエ変換光学系５の焦点距離を変化させるので、フーリエ変換光学系５の前側焦点位置に構成される像の大きさを変化させることができる。さらに、可変機構５ｃによって、フーリエ変換光学系５の前側焦点位置と逆フーリエ変換光学系７の後側焦点位置とを一致させた状態に維持するので、逆フーリエ変換光学系７から射出されるレーザ光の光束径を変化させることができる。
【００４１】
すなわち、本実施形態に係る照明光学装置１によれば、対物光学系８の焦点面における像の大きさを変化させて、一度に照射可能なレーザ光の照射範囲を変化させることができるとともに、対物光学系８に入射させるレーザ光の光束径を変化させて、標本Ａに集光される最小スポットサイズを変化させることができるという利点がある。
【００４２】
なお、本実施形態においては、光束偏向手段２によって、光束の偏向方向を設定した後に波面変調素子４において波面を変調することとしたが、これに代えて、光束偏向手段２と波面変調素子４とを入れ替えてもよい。
【００４３】
また、波面変調素子４として、レーザ光を透過させる液晶型の波面変調素子４を例示して説明したが、これに代えて、図３に示されるように、反射型の波面変調素子４’を採用してもよい。この場合には、波面変調素子４’へのレーザ光の入射角度を波面変調素子４’の法線方向に近づけるために、図３に示されるような折り返しミラー１２を設けることが好ましい。図中符号１３は結像レンズである。
【００４４】
また、本実施形態においては、可変機構５ｃとして、フーリエ変換光学系５を構成するレンズ５ａ，５ｂの少なくとも１つを光軸方向に移動させるものを例示したが、これに代えて、図４に示されるように、焦点距離が異なり、かつ、同一の前側焦点位置にレーザ光を集光させることが可能な複数の切替レンズ１４ａ〜１４ｄをターレット１５に取り付けて、必要に応じてターレット１５を、その回転軸１５ａ回りに回転させることにより切り替えることにしてもよい。
さらに、液体レンズ（図６参照。）１６を採用して焦点距離を変化させ、かつ液体レンズ１６を光軸方向に移動させてその前側焦点位置を一定位置に維持するようにしてもよい。
【００４５】
さらに、本実施形態においては、可変機構５ｃとして、フーリエ変換光学系５の前側焦点位置を維持しつつ焦点距離を変化させるものを例示したが、これに代えて、図３に示されるように、逆フーリエ変換光学系７の１以上のレンズ７ａ，７ｂを光軸方向に移動させて、後側焦点位置を維持しつつ焦点距離を変化させる可変機構７ｃを採用してもよい。
また、その場合に、ズーム光学系に代えて、切替レンズまたは液体レンズのいずれを採用してもよい。
【００４６】
逆フーリエ変換光学系７の焦点距離を変化させる場合には、図３に示されるように、ダイクロイックミラー９を逆フーリエ変換光学系７と対物光学系８との間に配置するとともに、ダイクロイックミラー９と撮像素子１０との間に結像レンズ１３を設けることが好ましい。このようにすることで、逆フーリエ変換光学系７の焦点距離を変化させても、撮影の倍率を変化させることなく撮影を行うことができるという利点がある。
【００４７】
また、逆フーリエ変換光学系７の後側焦点位置を維持しつつ焦点距離を変化させる場合には、図５に示されるように、リレー光学系３を構成する一部のレンズ３ｂと、フーリエ変換光学系５を構成するレンズとを共用させてもよい。このようにすることで、レンズ数を減らして構成を簡易にすることができる。図５に示す例では、逆フーリエ変換光学系７として焦点距離を変更可能な液体レンズ１６を使用している。
【００４８】
また、図５に示す例では、逆フーリエ変換光学系７の焦点距離を変更可能としているので、図６に示されるように、焦点距離を変更すると、逆フーリエ変換光学系７の焦点位置が移動する。そこで、その移動分だけフーリエ変換光学系５の焦点位置を移動させるような波面を波面変調素子４’によってレーザ光束に追加して付与することにしている。このように、逆フーリエ変換光学系７と波面変調素子４’とにより可変機構１７を構成することで、可動部を少なくして装置を簡素化することができるという利点がある。
【００４９】
次に、本発明の第２の実施形態に係る照明光学装置２０について、図面を参照して以下に説明する。
本実施形態の説明において、上述した第１の実施形態に係る照明光学装置１と構成を共通とする箇所には同一符号を付して説明を省略する。
【００５０】
本実施形態に係る照明光学装置２０は、図７に示されるように、光束偏向手段２を有しないとともに、フーリエ変換光学系２１として、正のレンズ群２１ａと負のレンズ群２１ｂとを、波面変調素子４’側から順に、光軸方向に配列したものを採用している。また本実施形態に係る照明光学装置２０は、可変機構２１ｃとして、正のレンズ群２１ａと負のレンズ群２１ｂの光軸方向の間隔および位置を調節可能にしたものを採用している。
図中、符号２２は、観察光学系を示し、観察用光源２３、スキャナ２４、瞳投影レンズ２５、結像レンズ２６、ダイクロイックミラー２７、集光レンズ２８および光検出器２９を備えている。
【００５１】
このように構成された本実施形態に係る照明光学装置２０によれば、図８（ａ）に示される状態から、図８（ｂ）に示されるように、フーリエ変換光学系２１を構成する正のレンズ群２１ａと負のレンズ群２１ｂとを近接させると、末端のレンズ面から焦点位置までの距離が伸びる。すなわち、波面変調素子４’の像の倍率を大きくするために、図８（ａ）に示されるように、正のレンズ群２１ａと負のレンズ群２１ｂとの間隔を広げると、末端のレンズ面から焦点位置までの距離が縮むので、フーリエ変換光学系２１の占める寸法が相殺されて、装置全体のコンパクト化を図ることができる。
【００５２】
図８に示される例では、負のレンズ群２１ｂの末端のレンズ面側に結ばれる焦点位置Ｂを移動させないように負のレンズ群２１ｂおよび正のレンズ群２１ａを光軸方向に移動させているので、対物光学系８の前方における照明光の焦点位置は略一定の位置に維持される。
このように、本実施形態に係る照明光学装置２０によれば、可変機構２１ｃによって、フーリエ変換光学系２１の前側焦点位置と逆フーリエ変換光学系７の後側焦点位置とを一致させた状態に維持するので、逆フーリエ変換光学系７から射出されるレーザ光の光束径を変化させることができる。
【００５３】
すなわち、本実施形態に係る照明光学装置２０によれば、装置のコンパクト化を図りつつ、対物光学系８の焦点面における像の大きさを変化させて、一度に照射可能なレーザ光の照射範囲を変化させることができるとともに、対物光学系８に入射させるレーザ光の光束径を変化させて、標本Ａに集光される最小スポットサイズを変化させることができるという利点がある。
【００５４】
なお、本実施形態においては、照明光学装置２０が光束偏向手段を有しない場合について説明したが、第１の実施形態のように、波面変調素子４よりも光源１１側に配置されていてもよいし、図９に示されるように、光束偏向手段２を、リレー光学系３０とともに逆フーリエ変換光学系７よりも標本Ａ側に配置することにしてもよい。
【００５５】
また、本実施形態においては、逆フーリエ変換光学系７として、固定されたレンズを採用したが、これに代えて、図１０に示されるように、フーリエ変換光学系２１に代えて逆フーリエ変換光学系３１を可変機構３１ｃを有するズーム光学系によって構成してもよいし、図１１〜図１４に示されるように、フーリエ変換光学系２１および逆フーリエ変換光学系３１の両方ともズーム光学系によって構成してもよい。このようにすることで、逆フーリエ変換光学系３１においても、対物光学系８の焦点面における像の大きさを変化させる効果を持たせることができる。
【００５６】
また、本構成を採用することにより、フーリエ変換光学系２１の逆フーリエ変換光学系３１側の焦点位置Ｂを略一定に維持することで、その焦点位置Ｂと波面変調素子４’との光学的に共役な位置関係が崩れることによる焦点位置におけるテレセントリック性のズレを逆フーリエ変換光学系３１によって補償することができる。
また、フーリエ変換光学系２１および逆フーリエ変換光学系３１を構成している正のレンズ群２１ａ，３１ａと負のレンズ群２１ｂ，３１ｂとの位置関係は図１１〜図１４に示されるように、任意に選択することができる。
【００５７】
また、本実施形態においては、フーリエ変換光学系２１の逆フーリエ変換光学系７側の焦点位置を略一定に維持することとしたが、これに代えて、図１５に示されるように、フーリエ変換光学系２１を構成する正のレンズ群２１ａおよび負のレンズ群２１ｂの移動に伴い、焦点位置Ｂを移動させて、焦点位置Ｂと波面変調素子４’との光学的に共役な位置関係を維持することにしてもよい。
そして、この場合には、対物光学系８の標本Ａ側に形成される焦点位置が光軸方向に移動することとなるので、対物光学系８に、該対物光学系８を構成する１以上のレンズ（図示略）を光軸方向に移動させる補正環３２を設け、該補正環３２を調節することによって、対物レンズ８の標本Ａ側の焦点位置を略一定に維持することにしてもよい。
【００５８】
また、この場合に、逆フーリエ変換光学系７としては、図１５に示されるように固定のレンズを採用してもよいし、図１６に示されるように、ズーム光学系３１を採用してもよい。
また、図１７に示すように、フーリエ変換光学系２１の逆フーリエ変換光学系３１側の焦点位置Ｂを略一定に維持し、それによってズレてしまう光学的に共役な位置関係を、波面変調素子４’によって補償することにしてもよい。
【００５９】
すなわち、フーリエ変換光学系２１の後側焦点位置を波面変調素子４’上に維持したままで、フーリエ変換光学系２１を構成する正のレンズ群２１ａと負のレンズ群２１ｂとを移動させることにより、焦点距離の変化によって、逆フーリエ変換光学系７側の焦点位置が移動する。そこで、その移動分だけフーリエ変換光学系２１の焦点位置Ｂを戻す方向に移動させるような波面を波面変調素子４’によってレーザ光束に追加して付与することにより、光学的に共役な位置関係を崩すことなく、最もコンパクトに装置を構成することができる。
【符号の説明】
【００６０】
１，２０  照明光学装置
２  光束偏向手段
４，４’  波面変調素子
５，２１  フーリエ変換光学系
５ｃ、７ｃ，２１ｃ，３１ｃ  可変機構
６  視野絞り
７，３１  逆フーリエ変換光学系
８  対物光学系
１１  レーザ光源（光源）
１４ａ〜１４ｄ  切替レンズ（レンズ群）
１５  ターレット（可変機構）
１６  液体レンズ
１７  可変機構
２１ａ，３１ａ  正のレンズ群
２１ｂ，３１ｂ  負のレンズ群
３２  補正環（可変機構）
【図１】
0005959180.tif 000002
【図２】
0005959180.tif 000003
【図３】
0005959180.tif 000004
【図４】
0005959180.tif 000005
【図５】
0005959180.tif 000006
【図６】
0005959180.tif 000007
【図７】
0005959180.tif 000008
【図８】
0005959180.tif 000009
【図９】
0005959180.tif 000010
【図１０】
0005959180.tif 000011
【図１１】
0005959180.tif 000012
【図１２】
0005959180.tif 000013
【図１３】
0005959180.tif 000014
【図１４】
0005959180.tif 000015
【図１５】
0005959180.tif 000016
【図１６】
0005959180.tif 000017
【図１７】
0005959180.tif 000018